(57)【要約】【課題】  地図情報の提供者側の意図に沿ってユーザを誘導することを容易にする地図情報提供システムを提供すること。【解決手段】  この地図情報提供システム１０は、携帯電話機２０から送信される出発地情報及び到着地情報を受信する要求受信部１０１と、当該受信した出発地情報と到着地情報とに基づいて、出発地点から到着地点に至る第１の経路を特定する第一経路特定部１０２と、当該特定した第一の経路から所定の範囲内に存在する店舗を選択する店舗選択部１０３と、第一の経路から当該選択した店舗に至る往路と当該選択した店舗から第一の経路に至る復路とからなる第二の経路を特定する第二経路特定部１０４と、第一の経路及び第二の経路を表示し他の経路情報を実質的に表示しない案内図を出力するための案内図情報を指定された店舗端末３０へ送信する案内図情報送信部１０５と、を備える。【選択図】  図１
2005140991.tif 000002
【特許請求の範囲】
【請求項１】
ユーザが使用する情報通信端末から送信される、出発地点の位置を特定する出発地情報と、到着地点の位置を特定する到着地情報とを受信する要求受信手段と、
当該受信した出発地情報と到着地情報とに基づいて、前記出発地点から前記到着地点に至る第一の経路を特定する第一経路特定手段と、
当該特定した第一の経路から所定の範囲内に存在する店舗を選択する店舗選択手段と、
前記第一の経路から当該選択した店舗に至る往路と当該選択した店舗から前記第一の経路に至る復路とからなる第二の経路を特定する第二経路特定手段と、
前記第一の経路及び前記第二の経路を表示し他の経路情報を実質的に表示しない案内図を出力するための案内図情報を指定された情報通信端末へ送信する案内図情報送信手段と、
を備える地図情報提供システム。
【請求項２】
前記店舗選択手段は、前記第一の経路から所定の範囲内に存在すると共に予め付帯情報が登録されている店舗を選択し、
前記案内図情報送信手段は、前記案内図情報と当該登録されている付帯情報とを前記指定された情報通信端末へ送信する、請求項１に記載の地図情報提供システム。
【請求項３】
前記第一経路特定手段及び前記第二経路特定手段のそれぞれの経路の特定に応じて、前記ユーザが使用する情報通信端末へ前記案内図情報を特定するための地図特定情報を送信する特定情報送信手段を備え、
前記案内図情報送信手段は、所定の情報通信端末から当該送信した地図特定情報を受信すると、当該送信元の所定の情報通信端末へ前記案内図情報を送信する、請求項１又は２に記載の地図情報提供システム。
【請求項４】
前記案内図情報には前記第一の経路上及び前記第二の経路上の交差点を特定するための情報が含まれる、請求項１から３のいずれか１項に記載の地図情報提供システム。
【請求項５】
コンピュータを、
ユーザが使用する情報通信端末から送信される、出発地点の位置を特定する出発地情報と、到着地点の位置を特定する到着地情報とを受信する要求受信手段と、
当該受信した出発地情報と到着地情報とに基づいて、前記出発地点から前記到着地点に至る第一の経路を特定する第一経路特定手段と、
当該特定した第一の経路から所定の範囲内に存在する店舗を選択する店舗選択手段と、
前記第一の経路から当該選択した店舗に至る往路と当該選択した店舗から前記第一の経路に至る復路とからなる第二の経路を特定する第二経路特定手段と、
前記第一の経路及び前記第二の経路を表示し他の経路情報を表示しない案内図を出力するための案内図情報を指定された情報通信端末へ送信する案内図情報送信手段と、
して機能させるための地図情報提供プログラム。
【発明の詳細な説明】
【技術分野】
【０００１】
本発明は、地図情報提供システム及び地図情報提供プログラムに関するものである。
【背景技術】
【０００２】
カーナビゲーション装置に応用可能な技術の中には、任意の出発地点から到着地点への経路を設定し、更にその設定した経路に沿ったサービス情報（駐車場やレストランの空き情報）を選択する技術が知られている（例えば、特許文献１参照。）。
【特許文献１】特開２００１−２６４０８８号公報
【発明の開示】
【発明が解決しようとする課題】
【０００３】
従来の技術では、出発地点から到着地点に至る経路のみならず他の道路の情報も共に表示されるものであったため、例えば、ユーザは自分が画面で確認した抜け道を通ることができ、上述のサービス情報の提供者が意図する誘導が十分にはできていなかった。
【０００４】
そこで本発明では、地図情報の提供者側の意図に沿ってユーザを誘導することを容易にする地図情報提供システム及び地図情報提供プログラムを提供することを課題とする。
【課題を解決するための手段】
【０００５】
本発明の地図情報提供システムは、ユーザが使用する情報通信端末から送信される、出発地点の位置を特定する出発地情報と、到着地点の位置を特定する到着地情報とを受信する要求受信手段と、当該受信した出発地情報と到着地情報とに基づいて、出発地点から到着地点に至る第１の経路を特定する第一経路特定手段と、当該特定した第一の経路から所定の範囲内に存在する店舗を選択する店舗選択手段と、第一の経路から当該選択した店舗に至る往路と当該選択した店舗から第一の経路に至る復路とからなる第二の経路を特定する第二経路特定手段と、第一の経路及び第二の経路を表示し他の経路情報を実質的に表示しない案内図を出力するための案内図情報を指定された情報通信端末へ送信する案内図情報送信手段と、を備える。
【０００６】
本発明の地図情報提供システムによれば、出発地点から到着地点に至る第一の経路から所定の範囲内にある店舗を選択し、その店舗に至る往路及び復路を第二の経路として特定するので、ユーザをその店舗に誘導する経路として第二の経路を特定できる。また、指定された情報通信端末へは、第一の経路及び第二の経路を表示し他の経路情報を実質的に表示しない案内図を出力するための案内図情報を送信するので、例えば、情報通信端末において所定の印刷処理を行うことで、ユーザに案内図を提供できる。この案内図は、第一の経路及び第二の経路を表示し他の経路情報を実質的に表示しないので、ユーザを店舗に誘導する第二の経路をより効果的に表示できる。
【０００７】
また本発明の地図情報提供システムでは、店舗選択手段は、第一の経路から所定の範囲内に存在すると共に予め付帯情報が登録されている店舗を選択し、案内図情報送信手段は、案内図情報と当該登録されている付帯情報とを指定された情報通信端末へ送信することが好ましい。例えば、指定された情報通信端末において所定の印刷処理を行うことで、ユーザに店舗の付帯情報も記載された案内図を提供できる。
【０００８】
また本発明の地図情報提供システムでは、第一経路特定手段及び第二経路特定手段のそれぞれの経路の特定に応じて、ユーザが使用する情報通信端末へ案内図情報を特定するための地図特定情報を送信する特定情報送信手段を備え、案内図情報送信手段は、所定の情報通信端末から当該送信した地図特定情報を受信すると、当該送信元の所定の情報通信端末へ案内図情報を送信することが好ましい。例えば、ユーザが自己の情報通信端末を持っていなくても、所定の情報通信端末に地図特定情報を入力して送信することで、案内図情報をその所定の情報通信端末に取り込むことができる。この所定の情報通信端末において所定の印刷処理を行うことで、ユーザに案内図を提供できる。
【０００９】
また本発明の地図情報提供システムでは、案内図情報には第一の経路上及び第二の経路上の交差点を特定するための情報が含まれることが好ましい。案内図情報に交差点を特定するための情報が含まれれば、この案内図情報を受け取った情報通信端末において所定の印刷処理を行うことで、交差点を特定する情報が反映された案内図を提供できる。案内図に第一の経路上及び第二の経路上の交差点を特定するための情報が反映されれば、より的確な案内図をユーザに提供できる。
【００１０】
本発明の地図情報提供プログラムは、コンピュータを、ユーザが使用する情報通信端末から送信される、出発地点の位置を特定する出発地情報と、到着地点の位置を特定する到着地情報とを受信する要求受信手段と、当該受信した出発地情報と到着地情報とに基づいて、出発地点から到着地点に至る第一の経路を特定する第一経路特定手段と、当該特定した第一の経路から所定の範囲内に存在する店舗を選択する店舗選択手段と、第一の経路から当該選択した店舗に至る往路と当該選択した店舗から第一の経路に至る復路とからなる第二の経路を特定する第二経路特定手段と、第一の経路及び第二の経路を表示し他の経路情報を表示しない案内図を出力するための案内図情報を指定された情報通信端末へ送信する案内図情報送信手段と、して機能させる。
【００１１】
コンピュータを用いて本発明の地図情報提供プログラムを実行すると、出発地点から到着地点に至る第一の経路から所定の範囲内にある店舗を選択し、その店舗に至る往路及び復路を第二の経路として特定するので、ユーザをその店舗に誘導する経路として第二の経路を特定できる。また、指定された情報通信端末へは、第一の経路及び第二の経路を表示し他の経路情報を実質的に表示しない案内図を出力するための案内図情報を送信するので、例えば、情報通信端末において所定の印刷処理を行うことで、ユーザに案内図を提供できる。この案内図は、第一の経路及び第二の経路を表示し他の経路情報を実質的に表示しないので、ユーザを店舗に誘導する第二の経路をより効果的に表示できる。
【発明の効果】
【００１２】
本発明によれば、出発地点から到着地点に至る第一の経路から所定の範囲内にある店舗を選択し、その店舗に至る往路及び復路を第二の経路として特定するので、ユーザをその店舗に誘導する経路として第二の経路を特定できる。また、指定された情報通信端末へは、第一の経路及び第二の経路を表示し他の経路情報を実質的に表示しない案内図を出力するための案内図情報を送信するので、例えば、情報通信端末において所定の印刷処理を行うことで、ユーザに案内図を提供できる。この案内図は、第一の経路及び第二の経路を表示し他の経路情報を実質的に表示しないので、ユーザを店舗に誘導する第二の経路をより効果的に表示できる。従って本発明の目的とする、地図情報の提供者側の意図に沿ってユーザを誘導することを容易にする地図情報提供システム及び地図情報提供プログラムを提供することができた。
【発明を実施するための最良の形態】
【００１３】
本発明の知見は、例示のみのために示された添付図面を参照して以下の詳細な記述を考慮することによって容易に理解することができる。引き続いて、添付図面を参照しながら本発明の実施の形態を説明する。可能な場合には、同一の部分には同一の符号を付して、重複する説明を省略する。
【００１４】
本発明の実施形態である地図情報提供システムについて図１を用いて説明する。図１は地図情報提供システム１０を説明するための図である。図１に示すように、地図情報提供システム１０と携帯電話機２０（ユーザが使用する情報通信端末）及び店舗端末３０（指定された情報通信端末、所定の情報通信端末）とはネットワーク（図示しない）を介して情報通信可能なように構成されている。携帯電話機２０は、ユーザが使用する情報通信端末であって、ＧＰＳ（全地球測位システム）機能によって自位置の測定が可能なように構成されており、地図情報提供システム１０に自位置（出発地点）と目的地（到着地点）の位置とを送信可能なように構成されている。店舗端末３０は、例えばコンビニエンスストアといった街中の店舗に設置されている情報通信端末であって、地図情報提供システム１０に地図特定情報としてのプリント番号を送信し、そのプリント番号の送信に応じて返信される案内図情報を受信して印刷することが可能なように構成されている。
【００１５】
引き続いて地図情報提供システム１０について説明する。地図情報提供システム１０は、物理的には、ＣＰＵ（中央処理装置）、メモリ、キーボードといった入力装置、ディスプレイといった表示装置、ハードディスクといった格納装置、モデムといった通信装置などを備えたコンピュータシステムとして構成されている。
【００１６】
地図情報提供システム１０は機能的な構成要素として、要求受信部１０１（要求受信手段）と、第一経路特定部１０２（第一経路特定手段）と、店舗選択部１０３（店舗選択手段）と、第二経路特定部１０４（第二経路特定手段）と、案内図情報送信部１０５（案内図情報送信手段）と、特定情報送信部１０６（特定情報送信手段）と、経路情報格納部１５１と、店舗情報格納部１５２と、案内図情報格納部１５３と、を含む。引き続いて各構成要素について説明する。
【００１７】
要求受信部１０１は、ユーザが使用する携帯電話機２０から送信される、出発地点の位置を特定する出発地情報と、到着地点の位置を特定する到着地情報とを受信する部分である。より具体的には、この出発地情報はユーザが携帯電話機２０のＧＰＳ機能を利用して取得する緯度経度情報である。また、到着地情報はユーザが携帯電話機２０に入力する緯度経度情報である。要求受信部１０１はこの受信した出発地情報及び到着地情報を第一経路特定部に出力する。
【００１８】
第一経路特定部１０２は、要求受信部１０１が出力する出発地情報及び到着地情報に基づいて、出発地点から到着地点に至る第一の経路を特定する部分である。より具体的には、第一経路特定部１０２は、経路情報格納部１５１に格納されている地図情報に基づいて、出発地点及び到着地点が含まれるように、必要となる部分についての地図情報を抽出する。経路情報格納部１５１に格納されている地図情報の一例を図２に示す。図２に示すように、経路情報格納部１５１に格納されている地図情報４０は道路に関する情報と緯度経度に関する情報とで特定される。第一経路特定部１０２は、抽出した地図情報と出発地点及び到着地点とを関連付ける。この関連付けた結果を可視的に表現すると図３に示すようになる。図３に示す例に拠れば、地図情報４０上に出発地点４０１及び到着地点４０２がプロットされる。第一経路特定部１０２は、出発地点４０１から到着地点４０２に至る経路を第一の経路４１１として特定する（図４参照）。この第一の経路の特定の手法は周知慣用のものが用いられ、図４の例では、出発地点４０１から到着地点４０２に至る全ての経路の内、最も短い経路が第一の経路４１１として特定される。第一経路特定部１０２は、抽出した地図情報と、出発地情報及び到着地情報と、第一の経路の情報とを関連付けて店舗選択部１０３に出力する。
【００１９】
店舗選択部１０３は、第一経路特定部１０２から出力される情報に基づいて、第一の経路から所定の範囲内に存在する店舗を選択する部分である。より具体的に、図５及び図６を用いて説明する。図５は、図４と同じ条件で示した地図情報の一例であり、図６は、図１の店舗情報格納部１５２に格納されている情報の一例である。図６に示す例に拠れば、店舗情報格納部１５２には、店舗名と、その店舗の位置情報と、その店舗のクーポン情報（付帯情報）とが関連付けられて格納されている。店舗選択部１０３は、第一の経路４１１から所定の範囲を領域４２１として特定する（図５参照）。店舗選択部１０３は次に、店舗情報格納部１５２に格納されている店舗の情報に基づいて、図５の領域４２１内にある店舗４０３、店舗４０４、店舗４０５、店舗４０７を選択する。また、店舗選択部１０３は、クーポン情報（付帯情報）が格納されている店舗情報のみを選択するようにしてもよく、この場合には店舗４０７は選択されないことになる。本実施形態では、店舗４０７は選択されないものとする。店舗選択部１０３は、第一経路特定部１０２から出力された地図情報、出発地情報及び到着地情報、第一の経路の情報と、選択した店舗の情報（位置情報、クーポン情報を含む）とを関連付けて第二経路特定部１０４に出力する。
【００２０】
図１に戻って、第二経路特定部１０４は、第一の経路から店舗に至る往路と当該店舗から第一の経路に至る復路とからなる第二の経路を特定する部分である。より具体的に、図７を用いて説明する。図７は、図５と同じ条件で示した地図情報の一例である。第二経路特定部１０４は、第一の経路４１１から店舗４０３に至る最短経路を往路４１２として特定し、店舗４０３から第一の経路４１１に至る最短経路を復路４１３として特定する。同様に、第二経路特定部１０４は、店舗４０４に至る往路４１４及び復路４１５、店舗４０５に至る往路４１６及び復路４１７をそれぞれ特定する。第二経路特定部１０４は、第一の経路４１１及び第二の経路４１２〜４１７以外の経路情報を実質的に表示しないように削除し、各店舗４０３〜４０５のクーポン情報を関連付けて案内図情報として案内図情報格納部１５３に格納する。第二経路特定部１０４は、案内図情報格納部１５３に格納する各案内図情報にプリント番号（地図特定情報）を付与して格納すると共に、そのプリント番号を特定情報送信部１０６に出力する。
【００２１】
特定情報送信部１０６は、第二経路特定部１０４から出力されるプリント番号を携帯電話機２０に送信する部分である。すなわち、特定情報送信部１０６は、第一経路特定部１０２及び第二経路特定部１０４のそれぞれの経路の特定に応じて、ユーザが使用する情報通信端末である携帯電話機２０へ案内図情報を特定するためのプリント番号を送信する。
【００２２】
案内図情報送信部１０５は、案内図を出力するための案内図情報を指定された情報通信端末である店舗端末３０へ送信する部分である。より具体的には、携帯電話機２０のユーザが店舗端末３０にプリント番号を入力すると、そのプリント番号が地図情報提供システム１０に送信される。この送信されたプリント番号は案内図情報送信部１０５が受信する。案内図情報送信部１０５は案内図情報格納部１５３に格納されている案内図情報から受信したプリント番号に対応する案内図情報を選択して店舗端末３０に送信する。店舗端末３０は、この案内図情報に基づいて案内図を印刷して出力する。店舗端末３０が出力する案内図の例を図８に示す。図８の例は、図７に示した案内図情報に基づいて印刷された案内図５０である。図８の例に拠れば、案内図５０は、地図部分５０１とクーポン部分５０２〜５０４とから構成される。地図部分５０１には、出発地点４０１から到着地点４０２に至る第一の経路４１１、選択された店舗４０３〜４０５、店舗４０３〜４０５に至る往路４１２、４１４、４１６及び復路４１３、４１５、４１７がそれぞれ表示されている。
【００２３】
店舗端末３０が出力する案内図の別の例を図９に示す。図９の例に拠れば、案内図６０は、地図部分６０１とクーポン部分５０２〜５０４とから構成される。地図部分６０１には、選択された店舗４０３〜４０５、店舗４０３〜４０５に至る往路４１２、４１４、４１６及び復路４１３、４１５、４１７がそれぞれ表示されている。更に地図部分６０１には、出発地点４０１から店舗４０３の往路４１２までの第一の経路４１１ａ、店舗４０３の復路４１３から店舗４０４の往路４１４までの第一の経路４１１ｂ、店舗４０４の復路４１５から店舗４０５の往路４１６までの第一の経路４１１ｃ、店舗４０５の復路４１７から到着地点４０２までの第一の経路４１１ｄがそれぞれ表示されている。図８に示す第一の経路４１１の一部分を非表示とすることで、ユーザを各店舗４０３〜４０５により的確に誘導できる。図９に示す案内図６０を店舗端末３０に出力させるためには、第二経路特定部１０４が、店舗選択部１０３から出力される第一の経路の一部を削除して案内図情報を作成する。
【００２４】
店舗端末３０が出力する案内図の別の例を図１０に示す。図１０の例に拠れば、案内図７０は、地図部分７０１とクーポン部分５０２〜５０４とから構成される。地図部分７０１には、図８に示す案内図５０と同様に、出発地点４０１から到着地点４０２に至る第一の経路４１１、選択された店舗４０３〜４０５、店舗４０３〜４０５に至る往路４１２、４１４、４１６及び復路４１３、４１５、４１７がそれぞれ表示されている。地図部分７０１には更に第一の経路４１１及び第二の経路４１２〜４１７のそれぞれの交差点を特定するために、図７では表示されていた地図情報の一部を重ね合わせて表示している。交差点を特定するために地図情報の一部を重ね合わせて表示しているので、ユーザはより経路の把握が容易になる。図１０に示す案内図を店舗端末３０に出力させるためには、第二経路特定部１０４が、店舗選択部１０３から出力される地図情報の一部を第一の経路及び第二の経路の各交差点を特定可能なように重ね合わせて案内図情報を作成する。
【００２５】
次にコンピュータを、本実施形態の地図情報提供システム１０として機能させるための地図情報提供プログラム９２及びそれが記録されているコンピュータ読取可能な記録媒体９について説明する。図１１は、地図情報提供プログラム９２が記録されている記録媒体９の構成を示した図である。記録媒体９としては、例えば、磁気ディスク、光ディスク、ＣＤ−ＲＯＭ、コンピュータに内蔵されたメモリなどが該当する。
【００２６】
記録媒体９は、図１１に示すように、プログラムを記録するプログラム領域９１と、データを記録するデータ領域９３とを備えている。データ領域９３には、図１〜図１０を用いて説明した経路情報格納部１５１と同様の経路情報データベース９３５、店舗情報格納部１５２と同様の店舗情報データベース９３６、案内図情報格納部１５３と同様の案内図情報データベース９３７がそれぞれ格納されている。
【００２７】
プログラム領域９１には、地図情報提供プログラム９２が記録されている。地図情報提供プログラム９２は、処理を統括するメインモジュール９２１と、要求受信モジュール９２２と、第一経路特定モジュール９２３と、店舗選択モジュール９２４と、第二経路特定モジュール９２５と、案内図情報送信モジュール９２６と、特定情報送信モジュール９２７とを備える。ここで、要求受信モジュール９２２、第一経路特定モジュール９２３、店舗選択モジュール９２４、第二経路特定モジュール９２５、案内図情報送信モジュール９２６、特定情報送信モジュール９２７のそれぞれを動作させることによって実現する機能は、上記地図情報提供システム１０の要求受信部１０１、第一経路特定部１０２、店舗選択部１０３、第二経路特定部１０４、案内図情報送信部１０５、特定情報送信部１０６のそれぞれの機能と同様である。
【図面の簡単な説明】
【００２８】
【図１】本発明の実施形態である地図情報提供システムを説明するための図である。
【図２】図１の経路情報格納部に格納されている情報の例を示す図である。
【図３】図１の第一経路特定部の情報処理を説明するための図である。
【図４】図１の第一経路特定部の情報処理を説明するための図である。
【図５】図１の店舗選択部の情報処理を説明するための図である。
【図６】図１の店舗情報格納部に格納されている情報の例を示す図である。
【図７】図１の第二経路特定部の情報処理を説明するための図である。
【図８】図１の店舗端末３０が出力する案内図の例を示した図である。
【図９】図１の店舗端末３０が出力する案内図の例を示した図である。
【図１０】図１の店舗端末３０が出力する案内図の例を示した図である。
【図１１】本発明の実施形態である地図情報提供プログラムを説明するための図である。
【符号の説明】
【００２９】
１０…地図情報提供システム、２０…携帯電話機、３０…店舗端末、１０１…要求受信部、１０２…第一経路特定部、１０３…店舗選択部、１０４…第二経路特定部、１０５…案内図情報送信部、１０６…特定情報送信部、１５１…経路情報格納部、１５２…店舗情報格納部、１５３…案内図情報格納部。
【図１】
2005140991.tif 000003
【図２】
2005140991.tif 000004
【図３】
2005140991.tif 000005
【図４】
2005140991.tif 000006
【図５】
2005140991.tif 000007
【図６】
2005140991.tif 000008
【図７】
2005140991.tif 000009
【図８】
2005140991.tif 000010
【図９】
2005140991.tif 000011
【図１０】
2005140991.tif 000012
【図１１】
2005140991.tif 000013